Podtech/llm-jp-corpus-v4-ja_patent huggingface dataset:
(57)【要約】
【課題】  フックが傾いたりしても額金具がフックから脱落しないようにした脱落防止ストッパーを提供する。
【解決手段】  円板をフックに遊び嵌め状に嵌合させ、円板の側面に半径方向に六角穴付止ネジを螺着させて円板をフックに固着させてフックに掛けた額金具の脱落防止ストッパーとした。
【選択図】  図２
0003100818.tif 000002
【実用新案登録請求の範囲】
【請求項１】
円板をフックに遊び嵌め状に嵌合させ、円板の側面に半径方向に六角穴付止ネジを螺着させて円板をフックに固着させてフックに掛けた額金具の脱落防止ストッパー。
【考案の詳細な説明】
【技術分野】
【０００１】
本考案は、額金具の脱落防止ストッパーに関し、特に、絵画等の展示パネルをフックに吊り下げる、展示パネルの裏面に固着した額金具の脱落を防止するものについてである。
【背景技術】
【０００２】
フックに掛けられた額金具の脱落を防止するものは存在していない。
【考案の開示】
【考案が解決しようとする課題】
【０００３】
絵画等の展示パネルを吊り下げる、展示パネルの裏面に固着したワイヤーはフックに掛けられるが、フックが傾いた場合、額金具がフックから脱落して展示パネルを破損させる場合が多い。
【０００４】
そこで、フックが傾いたりしても額金具がフックから脱落しないことが求められる。
【課題を解決するための手段】
【０００５】
そこで、本考案は、上記の事情に鑑み、フックが傾いたりしても額金具がフックから脱落しないようにすべく、円板をフックに遊び嵌め状に嵌合させ、円板の側面に半径方向に六角穴付止ネジを螺着させて円板をフックに固着させてフックに掛けた額金具の脱落防止ストッパーとした。
【考案の効果】
【０００６】
本考案は、円板をフックに遊び嵌め状に嵌合させ、円板の側面に半径方向に六角穴付止ネジを螺着させて円板をフックに固着させてフックに掛けた額金具の脱落防止ストッパーであるので、フックが傾いたりしても額金具はフックから脱落しない。
【考案を実施するための最良の形態】
【０００７】
本考案を添付する図面の図１〜図４に示す具体的な一実施例に基づいて、以下詳細に説明する。
【０００８】
図１は円板をフックに六角穴付止ネジにより装着した状態の正面図、図２は図１の左側面図、図３は平板の平面図、図４は図３の正面図である。
【０００９】
壁フック１は、長方形状の取付板２にフック３を固着する。符号４および５は壁面に取付けるための取付孔、取付長孔である。
【００１０】
円板６は真鍮製で、その中心にはフック３に外嵌めするための遊び嵌め状となる挿通孔７を穿設し、円板６の側面には半径方向にネジ孔８を刻設しておく。
【００１１】
ビス等で壁面に固着した壁面フック１のフック３に展示パネルの額金具を掛ける。その後、フック３に円板６を外嵌めし、ネジ孔８に六角孔付止ネジ９を螺着してフック３を締め込む。
【００１２】
すると、フック３が傾いたりしても額金具が円板６に係合して額金具のフック３からの脱落を防ぎ、展示パネルの破損を防止する。
【実施例】
【００１３】
一例として、円板１は直径１２ｍｍ、厚さ６ｍｍ、六角穴付止ネジ９が直径３ｍｍでも効果がある。
【００１４】
他の例として円板１は直径１６ｍｍ、厚さ６ｍｍ、六角穴付止ネジ９が直径３ｍｍでも効果がある。
【００１５】
また、さらに他の例として円板１は直径２０ｍｍ、厚さ８ｍｍ、六角穴付止ネジ９が直径４ｍｍでも効果がある。
【産業上の利用可能性】
【００１６】
展示パネルの額金具の脱落防止のみならず、他に用いるワイヤー等の脱落防止にも利用できる。
【図面の簡単な説明】
【００１７】
【図１】円板にフックを六角穴付止ネジにより装着した状態の正面図である。
【図２】図１の左側面図である。
【図３】平板の側面図である。
【図４】図３の正面図である。
【符号の説明】
【００１８】
１…壁フック
２…取付板
３…フック
４…取付孔
５…取付長孔
６…円板
７…挿通孔
８…ネジ孔
【図１】
0003100818.tif 000003
【図２】
0003100818.tif 000004
【図３】
0003100818.tif 000005
【図４】
0003100818.tif 000006
(57)【要約】      （修正有）【課題】装飾美を有するダイエットイヤリングの提供。【解決手段】従来のイヤリングの装着部にヘマタイト、装飾部にトルマリンを施す事に依って、耳ツボを刺激する事で体内の血行を促進し、永久微弱電流・マイナスイオン・遠赤外線の働きに依って、肉体疲労の解消効果・精神的ストレスの解消効果・胃腸の働きの活性化・冷え性や便秘症の改善効果・携帯電話等から発生する電磁波の除去効果・消臭作用・除菌作用を促し、健康増進効果を高める装飾品としての活用を可能にする。【選択図】図１
0003100813.tif 000002
【実用新案登録請求の範囲】
【請求項１】
装着部にヘマタイト（別名：赤鉄鉱石）を取付ける事で、磁性に依る健康増進効果を有するイヤリング。
【請求項２】
装飾部にトルマリン（別名：電気石）を取付ける事で、永久微弱電流・マイナスイオン・遠赤外線の発生を有するイヤリング。
【請求項３】
人体に於ける「耳のツボ」を請求項１によって刺激する事で、体内の血行促進を促す事を可能とするイヤリング。
【請求項４】
請求項２により、電磁波の除去効果・消臭作用・除菌作用を促し、健康増進効果を高める事を可能とするイヤリング。
【請求項５】
請求項３により、インスリンの分泌を抑制しダイエット効果を有するイヤリング。
【考案の詳細な説明】
【技術分野】
【０００１】本考案は、イヤリングの形状・仕様・装飾に関する。
【背景技術】
【０００２】従来のイヤリングは、装飾品としての用途が多い。
【考案の開示】
【考案が解決しようとする課題】
【０００３】しかしながら、ダイエットイヤリングは磁石を使用する事により、装飾美に欠けるという欠点がある。
【課題を解決するための手段】
【０００４】本考案は、従来のイヤリングの装着部にヘマタイトを更に装飾部にトルマリンを装着する事により、上記課題を解決する。
【考案の効果】
【０００５】本考案は、装着部のヘマタイトに依る磁性を活用し、耳ツボを刺激する事で体内の血行促進を高めると共に、装飾部のトルマリンから発する永久微弱電流・マイナスイオン・遠赤外線の働きに依って、肉体疲労の解消効果・精神的ストレスの解消効果・胃腸の働きの活性化・冷え性や便秘症の改善効果・携帯電話等から発生する電磁波の除去効果・消臭作用・除菌作用を促し、健康増進効果を高める装飾品としての活用を可能にする。
【考案を実施するための最良の形態・実施例】
【０００６】本考案は、図１に示されるように、装着部のヘマタイト（図１ａ部）と装飾部のトルマリン（図１ｂ部）及び、装飾品部（図１ｃ部）にて構成し、装飾品部に於いては、図２に示される「輪っかタイプ」の装飾と、図３に示される「ぶら下がりタイプ」の装飾品に分類する事によって、イヤリングとしての装飾美を構築する。
【０００７】本考案は、図２に示される「輪っかタイプ」の装飾と図３に示される「ぶら下がりタイプ」の装飾の２種より選択し、装着部を耳のツボに当てる事によって、血行促進を促し、「疲れ目」「肩こり」「食欲抑制」等の改善効果を促す。
【図面の簡単な説明】
【図１】  本考案に係る装着部及び装飾部に於ける特長図である。
【図２】  本考案に係る装飾部のタイプ図その１である。
【図３】  本考案に係る装飾部のタイプ図その２である。
【符号の説明】
ａ  装着部のヘマタイト部
ｂ  装飾部のトルマリン部
ｃ  装飾品部
【図１】
0003100813.tif 000003
【図２】
0003100813.tif 000004
【図３】
0003100813.tif 000005
(57)【要約】
【課題】  手提げ鞄が強盗にひったくられることを防止する手提げ鞄ひったくり防止用袋を提供するものである。
【解決手段】  袋（１）に取っ手部分（２）、縦方向破線状の切り込み（３）、横方向破線状の切り込み（４）、斜め方向破線状の切り込み（５）、曲線破線状の切り込み（６）を設け、取っ手部分（２）に鋭い角を持つ多角形の握り板（８）、下部に取っ手部分下端破線状の切り込み（７）を設ける。
【選択図】  図１
0003100812.tif 000002
【実用新案登録請求の範囲】
【請求項１】
袋（１）に取っ手部分（２）、縦方向破線状の切り込み（３）、横方向破線状の切り込み（４）、斜め方向破線状の切り込み（５）、曲線破線状の切り込み（６）を設け、取っ手部分（２）の下部に取っ手部分下端破線状の切り込み（７）を設けた手提げ鞄ひったくり防止用袋。
【請求項２】
取っ手部分（２）に鋭い角を持つ多角形の握り板（８）を設けてなる請求項１の手提げ鞄ひったくり防止用袋。
【考案の詳細な説明】
【技術分野】
【０００１】  本考案はハンドバックなどの手提げ鞄が強盗にひったくられることを防止する、手提げ鞄ひったくり防止用袋に関するものである。
【背景技術】
【０００２】  従来の手提げ鞄のひったくり防止の器具として、鞄の取っ手と握り手や腕を固定する形式のもの、また、ひったくりの被害に遭った直後に警報を鳴らすブザーがありました。しかし、手提げ鞄の取っ手と握り手や腕を固定する形式のものは、強盗に手提げ鞄を強い力で引っ張られるので握り手や腕をケガしたり、体が転倒してケガが重傷に至ることもありました。
また、警報を鳴らすブザーは、ひったくり被害にあった後の警報としか効果はありませんでした。
【考案の開示】
【考案が解決しようとする課題】
【０００３】  これは、次にような欠点があった。
イ、  強盗は不意に手提げ鞄をひったくりので、取っ手の握り手の握力が弱い女性や年配者は容易に手提げ鞄を強盗に奪われてしまう。
ロ、  強盗のひったくり行為に気づき、手提げ鞄の取っ手を放さずに握っていた場合でも、手提げ鞄の取っ手が壊れてしまい強盗に手提げ鞄を奪われてしまう。
ハ、  手提げ鞄の取っ手と握り手や腕を固定した器具を使用した場合や、手提げ鞄の取っ手を放さずに握っていた場合強盗と格闘になり、手や腕をケガしたり、転倒をして重傷を負ってしまう。
本考案は、以上の欠点を解消するためになされたものである。
【課題を解決するための手段】
【０００４】  袋（１）に取っ手部分（２）、縦方向破線状の切り込み（３）、横方向破線状の切り込み（４）、斜め方向破線状の切り込み（５）、曲線破線状の切り込み（６）を設け、取っ手部分（２）に鋭い角を持つ多角形の握り板（８）、下部に取っ手部分下端破線状の切り込み（７）を設ける。
本考案は、以上の構成によりなる手提げ鞄ひったくり防止用袋である。
【考案の効果】
【０００５】  本考案の手提げ鞄ひったくり防止用袋の袋（１）の中に手提げ鞄を入れて手提げ鞄の取っ手と本考案の取っ手部分（２）を握ることで、強盗が直接手提げ鞄に触れることが出来なくなります。そして、強盗が手提げ鞄をひったくろうとして、強い力で手提げ鞄ひったくり防止用袋の袋（１）を掴みます。すると、縦方向破線状の切り込み（３）、横方向破線状の切り込み（４）、斜め方向破線状の切り込み（５）曲線破線状の切り込み（６）、取っ手部分下端破線状の切り込み（７）のうち、強盗の掴む力の加わる箇所の切り込みが容易に破れます。
これにより、手提げ鞄と強盗の手が離れ、ひったくり被害の防止、また、ケガの発生防止になります。
【考案を実施するための最良形態】
【０００６】  袋状の袋（１）の中に手提げ鞄を入れ、手提げ鞄の取っ手と取っ手部分（２）を合わせて握り手で握る。
【実施例１】
【０００７】  手提げ鞄ひったくり防止用袋の袋（１）の中に手提げ鞄を入れた状態で、強盗が手提げ鞄をひったくろうとした場合、強盗は手提げ鞄を直接掴むことは出来ず、袋（１）を手に掴んでしまう。袋（１）と取っ手部分（２）には、縦方向破線状の切り込み（３）、横方向破線状の切り込み（４）、斜め方向破線状の切り込み（５）、曲線破線状の切り込み（６）、取っ手部分下端破線状の切り込み（７）を設けているため、強盗の力の加わる箇所で袋（１）が容易に破れ、ちぎれてしまい、強盗の手と手提げ鞄が離れる。
【実施例２】
【０００８】  強盗が手提げ鞄の取っ手と、取っ手部分（２）を掴もうした場合、取っ手部分（２）に設けてある鋭い角を持つ多角形の握り板（８）を強盗が握ってしまい、その手に痛覚を感じて手提げ鞄の取っ手を放してしまう。手提げ鞄の取っ手を掴んできた強盗に対しても、鋭い角を持つ多角形の握り板（８）を設けることで手提げ鞄が奪われるのを防ぐ。また、鋭い角を持つ多角形の握り板（８）は、これを握った強盗の指紋採取をすることも可能である。
【産業上の利用可能性】
【０００９】  本考案を利用することで、強盗のひったくり行為から、手提げ鞄と手提げ鞄の中の財産を守ることができる。また、強盗のひったくり行為によっておこる身体のケガの発生も防止する。
【図面の簡単な説明】
【００１０】
【図１】  本考案の全体を示した斜視図である。
【図２】  本考案に手提げ鞄を入れた状態を示した正面図である。
【図３】  本考案に手提げ鞄を入れた状態で一片が破れた状態を示した正面図である。
【符号の説明】
【００１１】  １  袋
２  取っ手部分
３  縦方向破線状の切り込み
４  横方向破線状の切り込み
５  斜め方向破線状の切り込み
６  曲線破線状の切り込み
７  取っ手部分下端破線状の切り込み
８  鋭い角を持つ多角形の握り板
【図１】
0003100812.tif 000003
【図２】
0003100812.tif 000004
【図３】
0003100812.tif 000005
(57)【要約】　　　（修正有）【課題】各種の場所に移動して臭いガスを綺麗にして衛生と環境を整えると共に、ダイオキシンの発生しないポリプロピレンを使用して全体を小型化して自由に移動ができるものである。【解決手段】ガス吸着装置を上部のカバー部３と下部のガス吸着本体２で構成し、その構成材料としてポリプロピレンのオレフィン系樹脂を使用する。該ガス吸着本体の内部には、隔壁５を設けて、前面側に、プレフィルター９、ボエフ・カセットフィルター１０、数段の活性炭カセットフィルター１１を段設し、背面側には、脱臭されたガスの進行通路６を設ける。また、該上部カバー部の内部には、排風機１２、排気口１３及びモーター１４等を収納装設したものである。【選択図】図２
0003100408.tif 000002
【実用新案登録請求の範囲】
【請求項１】
　装置本体（１）は、上部のカバー部（３）と、下部にガス吸着本体（２）とよりなる脱臭及び有機溶剤ガス吸着装置において、前記装置本体（１）は、その構成材料として硬質合成樹脂のポリプロピレンのオレフィン系樹脂を以って形成され、前記ガス吸着本体（２）には、内部の背面側に隔壁（５）を設けて進行通路（６）を形成し、該隔壁（５）の表面側には、上部よりプレフィルター（９）、ボエフ・カセットフィルター（１０）と、数段の活性炭カセットフィルター（１１）（１１）…を段設し、且つ該ガス吸着本体（２）には、表面にダクト等に接続する吸込口（７）と、下端に移動自在のキャスター（１７）（１７）を装設し、前記上部カバー部（３）には、内部に排風機（１２）、排気口（１３）及びモーター（１４）を装設したことを特徴とした脱臭及び有機溶剤ガス吸着装置。
【考案の詳細な説明】
【技術分野】
【０００１】　本考案は、各種の場所での臭いガスを綺麗にして衛生環境を整えると共に、ダイオキシンの発生しないポリプロピレンを使用して形成し、全体を小型化して自由自在に移動ができる脱臭及び有機溶剤ガス吸着装置に関するものである。
【背景技術】
【０００２】　従来この種のガス吸着装置は、移動が不可能な装置本体を塩化ビニール等のダイオキシンの発生する材料またはリサイクル化の出来ない材料を使用していた。従って環境等を著しく悪化する材料が主体で構成されている現状であった。
　そして、近年の環境問題等の高まりから、リサイクルが可能で、軽量化で移動自在な他の硬質合成樹脂に変換することが検討されている現状である。
【考案の開示】
【考案が解決しよとうする課題】
【０００３】　本考案は、従来の技術の有する課題を解決するものであり、その目的とする所は、装置本体を耐薬品、耐蝕、耐熱性に優れ、且つ表面硬度も高く、軽量で光沢の美しい、ポリプロピレンの硬質合成樹脂を使用した構成によって環境性にも優れ、且つ小型化して移動自在にした脱臭及び有機溶剤ガス吸着装置を提供しようとするものである。
【課題を解決するための手段】
【０００４】　上記の目的を達成するために、本考案の脱臭及び有機溶剤ガス吸着装置は、装置本体（１）は、ガス吸着本体（２）と、上部カバー部（３）とより構成され、該装置本体（１）の構成材料として硬質合成樹脂のポリプロピレンのオレフィン系樹脂を以って形成する。
　該ガス吸着本体（２）には、内部の背面側に隔壁（５）を設けて背面側に進行通路（６）を表面側に上部よりプレフィルター（９）、ボエフ・カセットフィルター（１０）と活性炭カセットフィルター（１１）（１１）を段設してある。また、該ガス吸着本体（２）には、表面に吸込口（７）を設けると共に、下部に移動自在のキャスター（１７）を装設する。さらに、上部カバー部（３）には、内部に排風機（１２）及び排気口（１３）を装設したことを特徴とする。
【考案の効果】
【０００５】　以上説明したように構成されている本考案によれば、従来の構成材料の塩化ビニール製のものと比較すると、ポリプロピレンを使用しているので、比重が最も小さく著しく軽量化され、且つ耐薬品性、耐蝕性、耐熱性に優れた効果と、リサイクルが可能であると共に、ダイオキシンが発生しないため大変に環境に優れている効果がある。そして、ガス吸着本体は、背面側に進行通路を縦設し、表面側に上部よりプレフィルター、ボエフ・カセットフィルターと数段の活性炭カセットのフィルター等の数種の脱臭剤を段設したので、全ての臭いを脱臭すると共に、全体を小型化して安全性を高めた効果がある。また、上部カバー部の内部に設けた排風機等は、全て耐蝕製品を使用したので、半永久的に使用できる効果がある。更に、ガス吸着本体の下端に設けたキャスターによっては、従来の固定型装置と異なり、軽快に自在に移動できると云う便利な効果もある。
【考案を実施するための最良の形態】
【０００６】　ガス吸着装置は、装置本体（１）のガス吸着本体（２）に局所排気用フードが取付可能となる吸込口（７）より排気ガスが浸入し、最初のプレフィルター（９）、ボエフ・カセットフィルター（１０）と数段の活性炭カセットフィルター（１１）（１１）を下降脱臭した排気ガスは、下方より隔壁（５）に設けた進行通路（６）を上昇し、上部カバー部（３）の内部の排風機（１２）より排気口（１３）を経て大気中に放出されるものである。
【実施例】
【０００７】　次に、本考案の実施例を図面について説明すると、ガス吸着装置の装置本体（１）は、上部のカバー部（３）と、下部のガス吸着本体（２）とより構成されている。該装置本体（１）はその構成材料として硬質合成樹脂のポリプロピレンのオレフィン系樹脂の構成材料を使用し、全体を小型化された縦型の方形状に形成されている。
　前記ガス吸着本体（２）には、内部の背面側にガスが上昇する進行通路（６）を形成して縦方向に隔壁（５）を縦設する。該隔壁（５）の表面側には、上部の正面にダクト等を接続して排気ガスを吸引する吸込口（７）を装設する。
　また、該隔壁（５）の表面側には、上部よりプレフィルター（９）、引出型の特殊脱臭剤よりなるボエフ・カセットフィルター（１０）、及び数枚のアルミ枠付脱臭剤の活性炭カセットフィルター（１１）（１１）…を段設してある。且つ該ガス吸着本体（２）には、表面にフィルターを点検する点検扉（１６）と側面に排風機用スィッチ（８）を装設してある。
　更に、該上部カバー部（３）には、耐蝕製品よりなる下方からの排気ガスを吸引する立型の排風機（１２）を設置すると共に、側方に連接して排気口（１３）を装設してある。且つ該排風機（１２）の上部にモーター（１４）を設けてある。
　なお、符号（１７）は、装置本体（１）を軽く自由に移動できるためのキャスターである。
【図面の簡単な説明】
【０００８】
【図１】　本考案の一部開示した正面図である。
【図２】　同じく本考案の一部欠除した縦断側面図である。
【図３】　同じく本考案の一部開示した上面図である。
【符号の説明】
【０００９】１　　　装置本体
２　　　ガス吸着本体
３　　　上部カバー部
５　　　隔壁
６　　　進行通路
７　　　吸込口
８　　　排風機用スィッチ
９　　　プレフィルター
１０　　ボエフ・カセットフィルター
１１　　活性炭フィルター
１２　　排風機
１３　　排気口
１４　　モーター
１６　　フィルター点検扉
１７　　キャスター
【図１】
0003100408.tif 000003
【図２】
0003100408.tif 000004
【図３】
0003100408.tif 000005
(57)【要約】　　　（修正有）【課題】額縁に差別化を計る。【解決手段】額縁１の中に、乾燥花２、本人の氏名３、本人の生年月日４、本人の誕生日花名５、本人の写真６を入れる。写真入の額縁内に、本人の生年月日の誕生日花の乾燥花を組合せることによって、写真額の差別化を計ることが出来る。【選択図】図１
0003100407.tif 000002
【実用新案登録請求の範囲】
【請求項１】
　写真と写真本人の誕生月日の誕生日花を組合せて一体となした額縁写真。
【考案の詳細な説明】
【考案の詳細な説明】
【考案が解決しょうとする課題】
【０００１】　赤ちゃんや子供の写真は従来額縁に入れて飾っていたが、同じ様な額縁で他の人との差別化が出来なかった。本考案においては従来の額縁写真に特徴を持たせ差別化しようとするものである。
【課題を解決するための手段】
【０００２】　従来の写真を入れる額縁に、一年３６５日各日ごとに設定された誕生日花を乾燥させて額縁内の写真の回りに接着させて写真本人の誕生日花と生年月日を配置よく組合せることによって差別化を計るものである。
【考案の実施形態】
【０００３】　以下本考案の実施形態について説明する。第１図は本考案額縁の図面であり、１は額縁、２は乾燥花、３は本人の氏名、４は本人の生年月日、５は本人の誕生日花、６は本人の写真である。写真入の額縁内に、本人の生年月日の誕生日花の乾燥花を組合せることによって、写真額の差別化を計ることが出来る。
【考案の効果】
【０００４】　額縁の写真を送っていただき誕生日花と組合せて従来にない写真飾りが出来新しいビジネスの誕生が期待出来る。
【図面の簡単な説明】
【図１】　本考案の額縁の平面図である。
【符号の説明】
１………額縁
２………乾燥花
３………氏名
４………生年月日
５………誕生花名
６………写真
【図１】
0003100407.tif 000003
(57)【要約】
【課題】稲や果実の木々に網を被せ覆う事で鳥等の禽獣による食害等の被害を防ぐことにおいて、網を張る作業を容易にすることのできる製品を提供する。
【解決手段】従来からある、単なる球面を有する受体のある防護体受の、受体の球面に線状体の非固定保持用溝手段を例えば十字型に設けた。
【選択図】図２
0003100497.tif 000002
【実用新案登録請求の範囲】
【請求項１】
棒状支持体に嵌合出来る筒状体,概筒状体の一方に設けられた球面を有する受体,概受体の球面に設けられた線状体の非固定保持手段より成る防護覆体受
【請求項２】
線状体の非固定保持手段が溝状である請求項１記載の防護覆体受
【請求項３】
線状体の非固定保持手段が十字型の溝状である請求項２記載の防護覆体受
【考案の詳細な説明】
【技術分野】
【０００１】
　本考案は農作物,養魚等を例えば網等で覆い鳥等からの被害を防止するために使用する防護覆体受に関する。
【背景技術】
【０００２】
　農作物収穫時での、鳥等の禽獣による農作物被害は農業従事者にとっては、深刻な問題である。米穀類でのすずめや、果物類でのもず・からすなどに対し、被害を防ぐために旧来から案山子や爆発音による脅かしや光反射板で脅かす等の対策をとっていたが、鳥類等禽獣がすぐに慣れてしまう等のため、被害をなくすためには十分ではなかった。
【０００３】
この改善策として稲や果実の木に網を被せ覆う事で鳥等の禽獣が稲や果実の木々に近づけなくする方法がとられており、効果は十分得られた。
【０００４】
　しかし、網を田んぼや畑、あるいは果実の実る木々に被せるのは田んぼでは柔らかなどろに足がとられることもあり、また広い面積を覆うためには網を張る人、途中に網が自重でたわみ、稲を押しつぶさないように、支柱をたてる人等、かなりの作業人員を用意する必要がある欠点がある。また場合によっては、網のなかに入り込んで、支柱を追加する困難を極める作業もある。
【考案の開示】
【考案が解決しようとする課題】
【０００５】
　従来,畑等で農作物を鳥から守るため網を掛けようとすると,その作業は,先ず大勢で網を広げ,その広げた網の中に人が入って、図１の様な表面が単なる球面状の受体で網の支柱を設けるという大変な努力を要していた。先に支柱を設けて後から網を張るという作業も考えられるが,そうすると支柱の上にうまく網を張ることが出来なかった。
【課題を解決するための手段】
【０００６】
　本考案は上記の課題を解決するためになされたもので棒状支持体に充分な余裕を持って嵌合出来る筒状体、その筒状体の一方に設けられた球面を有する受体,及びその受体の球面に設けられた線状体の非固定保持手段より成る防護覆体受である。
【０００７】
　図２は球面を有する防護覆体受であり、その受体１の球面には線状体の非固定保持手段である十字型の溝２が設けられている。３は筒状体である。この筒状体を図３に示すように筒状体棒状支持体４に十分な余裕を持って嵌合し、更に針金などの線状体５を溝２（図２）に固定することなく緩く保持させる。そして針金やピアノ線等の線状体を案内として網6をかぶせる。図４はこの網をかぶせ、敷設した状態を斜め上から見た図である。
【考案の効果】
【０００８】
網掛け作業のとき防護覆体受の受体に設けられた線状体の非固定保持手段である溝に針金などの線状体が緩く保持されているため、溝の中を針金が自由に滑って動き、また棒状支持体とこの防護覆体受が筒状体で余裕を持って嵌合されているため、いわゆるガタにより自由なローリングが出来る、或いは棒状支持体に負荷が懸かったときに棒状支持体自身が変形することになり、防護覆体受は網に対し自由なローリングが出来る。網掛け作業においては、針金などの線状体は比較的余裕を持って張るために針金等の線状体は自由に動くことになり、或いは風等で網が飛ばされ動くためにローリングすることは大切である。このようにローリングは作業をよりスムースにしたり、網の荷重を直接受けないよう力を分散できる効果がある。また針金等の線状体の上を滑らせて網を覆うことができるので、網掛け業が小人数で且つ短時間でできるようになった。また網使用後、網の収納でも容易である。張り巡らされた針金のうえを滑らせて網の収納ができることは、網を畳んだり、網をロール状に巻いて保管することが容易であり、次の使用時において網が絡んで作業効率が悪いことが解決できることも効果が大きい。
【考案を実施するための最良の形態】
【０００９】
網をローリングで保持する防護覆体受の網と直接接触する円球体の上面に針金やピアノ線を保持できる溝や溝効果のある保持部分を設ける形状が最良な形態である。
【実施例１】
【００１０】
　図２は本考案になる防護覆体受の一実施例を示す斜視図である。図で２と表示される部分は溝であり、この溝に針金やピアノ線が導かれ、自由な状態で保持される。溝は1本でもよいが、縦横に張られたそれぞれの針金やピアノ線の交点をこの防護覆体受で受けるときもあり、十字（クロス）形状の溝となっている。また針金やピアノ線がクロス以外に斜めにも張られる場合は溝の数は8本にすれば良い。
【００１１】
　図３は上記記載図２に示す防護覆体受の使用例を示す側面説明図である。田に植栽されている稲のうえに張られた網の状態を示している。５は網を保持する針金やピアノ線であり、網６が針金やピアノ線の上に張られている。防護覆体受の下部に支柱４が挿入できるようになっており（図には示さず）、この支柱は田んぼや果樹園の土のうえに立てられるものである。
【００１２】
　図４は上記記載図２に示す防護覆体受の使用例の上方より見た斜視図である。太い線が針金やピアノ線であり、その上に網が覆われていることを表す。
【００１３】
　このように針金やピアノ線を張ること自体は容易であり、田んぼや畑、果樹園、池等に針金やピアノ線を張り巡らせる。これをたよりに、針金やピアノ線を案内に、網を簡単に張ることができる。またこの針金やピアノ線を支えることのできる溝を保有した防護覆体受は、ピアノ線自体を保持できるし、ピアノ線の交点を支持するのが効率よい。網が風等で動かされても網は防護覆体受表面をすべり、網の損傷や支柱の倒壊を防ぐことができる効果も得られた。
【産業上の利用可能性】
【００１４】
　農業における鳥類の禽獣による農作物被害のみならず、鶏や小動物や養魚等を屋外飼育するとき、或いは農産物・食品加工商品等を屋外に貯蔵するとき、上空からの侵入動物からの被害を防ぐこともできる。
【図面の簡単な説明】
【００１５】
【図１】従来の、球面状の受体の斜視図である。
【図２】本考案になる防護覆体受の一実施例を示す斜視図である。（実施例１）
【図３】図２に示す防護覆体受の使用例を示す側面説明図である。
【図４】図２に示す防護覆体受の使用例の上方より見た斜視図である。
【符号の説明】
【００１６】
　　１　　受体
　　２　　十字型の溝
　　３　　筒状体
　　４　　棒状支持体
　　５　　線状体
【図１】
0003100497.tif 000003
【図２】
0003100497.tif 000004
【図３】
0003100497.tif 000005
【図４】
0003100497.tif 000006
(57)【要約】
【課題】　本考案は、紙片に予め印刷等により形成した文字、絵又は模様等に沿って押圧具等により紙片を押圧することにより、平面的なものより凹凸のある立体図形を形成することを可能とした紙片を提供することを目的とするものである。
【解決手段】　塑性変形可能な高伸度紙片の表面或いは裏面に各種図形を描き、該図形に沿って、押圧手段により凹凸模様を形成することを可能としたことを特徴とする立体図形を形成する紙片。
【選択図】図１
0003100459.tif 000002
【実用新案登録請求の範囲】
【請求項１】
　塑性変形可能な高伸度紙片の表面或いは裏面に各種図形を描き、該図形に沿って、押圧手段により凹凸模様を形成することを可能としたことを特徴とする立体図形を形成する紙片。
【請求項２】
　請求項１の図形に併設して文字、絵等のその他の印刷が形成されていることを特徴とする紙片。
【考案の詳細な説明】
【技術分野】
【０００１】
　本考案は、紙片を押圧することにより立体図形を形成するもので、予め紙片上に印刷或いは適宜図形を描き、該図形に沿って押圧具等により押圧して恒久的な凹凸形状を付与する立体図形を形成する紙片に関する。
【背景技術】
【０００２】
　従来、紙片に凹凸形状を形成するためには、プレス機により予め凹凸形成した金型により該金型に沿った形状の凹凸を形成するか、空気圧をかけ、それにより凹凸形状を形成していた。図形の表現は、平板状の状態或いは凹凸形状が形成された後に適宜な絵具によって描いていた。
【特許文献１】特開平６−３１６８４６号公報
【考案の開示】
【考案が解決しようとする課題】
【０００３】
　上記プレス機や空気圧による紙片の凹凸加工は、その製造工程において完成された恒久的な凹凸形状が予め形成されることになるので、紙片の購入者が凹凸図形を自ら形成するというおもしろさに欠けていた。例えば、お面や各種動物等の立体図形は、予め当該立体図形が工場で形成されることのなるので、それらの形状を自ら造り上げるものではなく、与えられたものを楽しむだけであった。
【０００４】
　本考案は、紙片に予め印刷等により形成された文字、絵又は模様等に沿って押圧具等の手段で紙片を押圧することにより、平面的なものより凹凸のある立体図形を形成することを可能とした紙片を提供することを目的とするものである。
【課題を解決するための手段】
【０００５】
　上記した目的を達成するために、本考案は、塑性変形可能な高伸度紙片の表面或いは裏面に各種図形を描き、該図形に沿って、押圧手段により凹凸模様を形成することを可能とした立体図形を形成する紙片を特徴とするものである。
　また、上記図形に併設して文字、絵等のその他の印刷が形成されている紙片を特徴とするものである。
【考案の効果】
【０００６】
　請求項１の考案により、工場等においては紙片の平面上に適宜、文字、絵又は模様等の図形を印刷するのみで、それを購入した者が、該図形に沿って適宜押圧手段により何度か摺接或いは押圧することにより該紙片に塑性変形を生じさせ、該図形を立体図形とすることを可能としたもので、平面的なものより立体的なものを自らが容易に作成することができることになり、立体感覚をやしなうとともに装飾物や贈り物として最適なものを提供することが可能となった。
【０００７】
　請求項２の考案により、立体図形の造り方の説明や図形の解説等を表現できるとともに、他の絵や文章を併設することにより、立体図形と平面上に表現されたものとの調和ある紙片を得ることを可能とした。
【考案を実施するための最良の形態】
【０００８】
　以下に、本考案の立体図形を形成する紙片について、図１、図２に基づいて詳述する。
【実施例１】
【０００９】
　紙片１としては特に限定されるものではないが、局部的に塑性変形をさせることができるものである必要がある。例えば、厚手のトレーシングペーパー（７５ｇ以上）、パラフィン紙（ロー引き紙）等を使用することができ、特に、２枚のトレーシングぺーパーの間に樹脂フィルムを介在させたダブルトレーシングペーパーが最適である。このような紙片１は、凹凸形状を局部的に容易に付与することができ、その形状を恒久的に保持することができる。
【００１０】
　また、紙片１を縦方向及び横方向に高伸び率を有する高伸度紙を用いることができる。伸び率が高いので、紙片１に皺や亀裂が生じることはない。例えば、合成樹脂繊維等の非木質繊維と木質繊維とを混合したパルプを原料として、特表平１１−５０９２７６号に開示されている製造方法により、高伸度紙を得ることができる。
【００１１】
　次に、紙片１の表面に適宜な図形２を印刷或いは絵具等により描く。図形２としては、お面、花、鳥・動物等の図柄であってもよいし、文字や記号であってもよく、その図柄に特に限定されないことは勿論のことである。立体的なものであれば適宜なものが選ばれる。印刷であれば紙片１上に通常の印刷が行なわれる。また、絵具の場合は、使用する絵具としては、水性絵具であっても良いし、油性のものでもよく、特に限定されないが、アクリル絵具やマニキワ液で溶いた絵具が好適である。艶のない絵具を使用しても差し支えない。また、クレヨンで着色した後、これをアルコールで溶かして薄く伸ばすような彩色方法も有効であり、種々の彩色方法を組み合わせて使用することも出来る。
【００１２】
　上記絵具の場合は、白紙或いは文字のみで図形が描かれていない状態の紙片１上に、購入者が適宜図形を自ら描くことを可能とするものである。
【００１３】
　印刷或いは絵入れ等により紙片１表面に図形２等の絵入れが終了すると、描いた図形２に沿って適宜形状の押圧具３を用いて紙片１の裏面側或いは表面側から押圧力を付与する。押圧力の付与としては、紙片１に対しての押し付け、紙片１に沿っての摺接、紙片１に対して斜め方向からの押圧や摺接等、適宜な方向から適宜な力の付与により、図形２を立体的に盛り上げていく。一例として厚手のフェルト台を準備し、描いた図形２の面を下にして紙片１をフェルト台に乗せ、紙片の裏面側を押圧具３で強く擦ると擦った部分が塑性変形して凹み、凹部を付与することができる。凹凸形状は、描いた図形の輪郭に沿って凹ますようにしてもよいが、図形の輪郭に関係なく、予め凹凸形状を形成し、その凹凸形状に添って図形を描くようにしてもよい。いずれにしても、図形に応じた凹凸形状が形成される。
【００１４】
　裏面を押圧具３で擦ると、表面側が突出する凹凸形状が形成されるが、逆に図形の描かれている表面側を押圧具で擦って凹ませることもでき、いずれの方法を採用してもよい。押圧具３としては先端が球状に丸まった鉄筆状のものが好適で、形成する凹凸形状に応じて、先端の球状径が異なるものを選択することもできる。
【図面の簡単な説明】
【００１５】
【図１】紙片の押圧前の断面図。
【図２】紙片の押圧後の断面図。
【符号の説明】
【００１６】
　１　　紙片
　２　　図形
　３　　押圧具
【図１】
0003100459.tif 000003
【図２】
0003100459.tif 000004
(57)【要約】　　　（修正有）【課題】　緩勾配の屋根を葺く瓦の雨水逆漏れ現象を抑制する。【解決手段】　瓦の谷部の水垂れを三角形状の誘導スロープを付加したものとし、谷部に集まる雨水をこの誘導スロープで水流を加速させ、上の瓦の雨水を重合部より遠い位置へ誘導することで、重合部における雨水の巻き込みを抑制し、逆漏れ現象を起こし難い構造とした。【選択図】図１
0003100423.tif 000002
【実用新案登録請求の範囲】
【請求項１】
　谷部に三角形状の水垂れを付設し、谷部を流れてきた雨水が三角形状の水垂れに収斂し、水流が加速されて下の瓦に流れ落ちる構造としたことを特徴とする瓦。
【請求項２】
　水垂れの底辺が９０〜１１０ｍｍ、長さが４０〜６０ｍｍの三角形状で、傾斜角度が６〜１２°の平らなスロープであることを特徴とする請求項１記載の瓦。
【考案の詳細な説明】
【技術分野】
【０００１】
　本考案は緩勾配の屋根を葺く瓦の雨水逆漏れ現象を抑制する水垂れ構造に関するものである。
【背景技術】
【０００２】
　屋根が低勾配である場合、雨水は図４に示すように瓦の重合部を屋根の棟側に逆流し逆漏れと呼ばれる現象を起こし易くなる。特に風雨の時にはこの現象が発生し易く問題となっている。この逆漏れ対策として、凸状の水返し９の付設が従来から用いられている。しかし強い風雨の際には水返しをオーバーフローして逆漏れすることも多い。
【０００３】
　瓦の重合部において、水垂れ部からの瓦裏面への雨水の巻き込みを抑制し、上の瓦の雨水をできるだけ重合部より遠くへ誘導出来れば、このような逆漏れ現象は起き難くなる。このための方法として、水垂れの前に散水を目的とした不連続堰を設けた瓦（例えば非特許文献１参照）や、水流の加速を目的に水垂れを二段構造にした瓦（例えば特許文献１参照）がある。不連続堰を設ける方式の場合は（概観を図５に示す）堰や堰の隙間に土埃や木の葉等が堆積して水流を妨げ逆効果を誘発するおそれがある。また二段水垂れ構造の瓦（概観を図６に示す）は単に段差を利用して水流の加速を図ったものであり、屋根勾配が緩くなると、より遠くへ雨水を誘導出来るとは限らない。
【非特許文献１】「井野瓦工業カタログ　防災瓦パーフェクト」、井野瓦工業株式会社
【特許文献１】特開平６−８８４０２号公報
【考案の開示】
【考案が解決しようとする課題】
【０００４】
　屋根の勾配が緩やかな場合、重合部において、瓦の水垂れから下の瓦に雨水が流れ落ちる際、重合部の隙間に雨水が巻き込まれ棟側に逆流し、水返しをオーバーフローして逆漏れと呼ばれる現象を起こし易い。一般的に屋根勾配は４／１０（約２２゜）以上であるが、最近の屋根は経済性、作業性等の事情により３／１０（約１７゜）や２．５／１０（約１４゜）の勾配のものが多くなり、逆漏れ対策が強く要求されている。
【課題を解決するための手段】
【０００５】
　本考案はかかる課題を解決するための具体的手段として、瓦の谷部の水垂れを三角形状の誘導スロープを付加したものとし、谷部に集まる雨水をこの誘導スロープで水流を加速させ、上の瓦の雨水を重合部より遠い位置へ誘導することで、重合部における雨水の巻き込みを抑制し、逆漏れ現象を起こし難い構造とした。
【考案の効果】
【０００６】
　本考案の瓦によれば、雨水は谷部の三角水垂れに収斂し、傾斜角度６〜１２°の誘導スロープで水流が加速され図３に示すような水流誘導となる。また３／１０や２．５／１０の場合でも水流の誘導勾配は一般的な屋根勾配とほぼ同等以上である。結果として、屋根勾配が緩くなっても重合部における雨水の巻き込みが抑制される。これにより逆漏れ現象を防止できる。
　本考案の瓦は形状がシンプルであり、ゴミや土埃等の付着が起こり難い、成形が容易で焼成歪も小さく施工時瓦の行儀が取り易い、等の効果も有している。
【考案を実施するための最良の形態】
【０００７】
　本考案の瓦について説明する。本考案瓦の概観を図１に示す。谷部に三角形状の水垂れを付設したことが特徴である。勾配が緩やかな屋根に瓦を葺く場合には、特に逆漏れ現象を防止する対策が必要である。本考案の瓦はこの場合に極めて有効である。すなわち、谷部を流れてきた雨水が、図３に示すように、この三角水垂れ１に収斂し水流が加速され水垂れ飛散水流１４となって下の瓦に流れ落ちる構造とした。これにより、重合部での雨水の巻き込みが抑制され逆漏れ現象を防止することが可能となる。
【０００８】
　従来の瓦では、雨水は、図４に示すように主として水垂れ垂直面落下水流１５となり、重合部巻き込み水流１６が発生し易い状況であった。
【０００９】
　三角水垂れ１の形状は、底辺が９０〜１１０ｍｍ、長さが４０〜６０ｍｍの三角形状で、傾斜角度６〜１２°の範囲とするのが適当である。このように本考案の瓦は形状がシンプルであり、従って成形が容易である。また、焼成時の歪も小さく抑えられるので施工時瓦の行儀が取り易い。水垂れは流線状とせず、直線状とした方が、雨水が水垂れ飛散水流１４となり易く、水垂れ垂直面落下水流１５となって流れ落ち、重合部巻き込み水流１６となるのを防ぐことになる。
【図面の簡単な説明】
【００１０】
【図１】本考案瓦の斜視図である。
【図２】一般瓦の斜視図である。
【図３】本考案瓦を葺いた状態のＡ−Ａ線断面の部分拡大図と水流を示す図である。
【図４】一般瓦を葺いた状態のＡ−Ａ線断面の部分拡大図と水流を示す図である。
【図５】非特許文献１の瓦の斜視図である。
【図６】特許文献１の瓦の斜視図である。
【符号の説明】
【００１１】
　１　　三角水垂れ
　２　　水垂れ傾斜角度
　３　　水垂れ底辺
　４　　水垂れ長さ
　５　　水垂れ傾斜部
　６　　水垂れ角部
　７　　水垂れ垂直面
　８　　水垂れ部
　９　　水返し
　１０　谷部
　１１　桟峠部
　１２　頭部
　１３　尻部
　１４　水垂れ飛散水流
　１５　水垂れ垂直面落下水流
　１６　重合部巻き込み水流
【図１】
0003100423.tif 000003
【図２】
0003100423.tif 000004
【図３】
0003100423.tif 000005
【図４】
0003100423.tif 000006
【図５】
0003100423.tif 000007
【図６】
0003100423.tif 000008
(57)【要約】
【要約書】
【課題】　雑草や芝などを刈る草刈機用ロータリーカッターの複雑な構造と操作の煩わしさを改善して経済的で使用を容易にする。
【解決手段】　皿形状で中央に軸穴５を穿設した回転体１外周４箇所に、挿入穴を穿設する取付部１１ａを挿入穴が軸穴５と直交するように設け、ワイヤーからなり着脱可能としたカッター１２を挿入穴に挿入係止して回転体外周よりカッター１２が突出するよう設けたものである。
【選択図】　図１
0003100490.tif 000002
【実用新案登録請求の範囲】
【請求項１】
　皿形状で中央に軸穴を穿設した回転体外周４箇所に、挿入穴を穿設する取付部を挿入穴が軸穴と直交するように設け、ワイヤーからなり着脱可能としたカッターを挿入穴に挿入係止してカッターが回転体外周より突出するよう設けたことを特徴とする草刈機用ロータリーカツター。
【考案の詳細な説明】
【技術分野】
【０００１】　本考案は雑草や芝などを刈る時にワイヤーカッターを用いて行なう草刈機用ロータリーカッターに関するものである。
【背景技術】
【０００２】　障害物の多い場所や塀・フエンス或は鉄柱などの周りの雑草や芝生などを刈り取る場合、金属性（普通は鋼製）の刃物では刃が欠けたり或は切断された物の破片が飛散したりして危険なためにナイロンコードをカッターとして用いるようになって来た。
　そしてナイロンコードをカッターとして用いるには、ナイロンコードの消耗が激しいので回転体の内ドラムに巻き取るように設けその先端を必要量突き出してカッターとし、消耗に応じて巻き取っているナイロンコードを送り出すようにして消耗に対する補給を可能にしていた。
【考案の開示】
【考案が解決しようとする課題】
【０００３】　しかしナイロンコードを回転体の内ドラムに巻き取るように設け消粍に応じて巻き取っているナイロンコードを送り出すようにするには、色々と工夫がなされて改善してきているが、回転体の内ドラムに巻き取るために空間を必要とし、且つ巻き取っているナイロンコードを送り出すために複雑な構造となるため製造コストが高くなり非常に不経済であると共に、消耗に応じて巻き取っているナイロンコードを内ドラムより送り出すのが面倒で、製造上或は使用上非常に不都合を感じていた。
【課題を解決するための手段】
【０００４】　皿形状で中央に軸穴を穿設した回転体外周４箇所に、挿入穴を穿設する取付部を挿入穴が軸穴と直交するように設け、ワイヤーからなり着脱可能としたカッターを挿入穴に挿入係止して回転体外周よりカッターが突出するよう設けたものである。【０００５】　そして使用するには、草刈機の回転軸をカッターが刈り取る側になるよう軸穴に挿入し、ナットにて締め付けて回転軸に回転体を取り付け、回転軸を回転して外方に突設するカッターにて雑草や芝などを刈り取っていく。
　若し使用が激しくカッターが消耗した場合には、消耗したカッターをカッター取付部より取り除き新しいカッターを装着して再使用する。
【考案の効果】
【０００６】　このように複雑な形状や機構を必要とせず全く簡単な構造で良いため製造コストが軽減され、カッターがワイヤーのため消耗度も少なく長期使用が出来ると共に、カッターの取り替えが容易に行なえるなど多くの特長があり実用上非常に優れた考案である。
【考案を実施するための最良の形態】
【０００７】　皿形状からなる取付体外周にフランジを設け中央に軸穴を穿設した回転体に於いて、取付体の底部と反対側のフランジ外側４箇所に、凹状とした取付部を設け取付部底部中央に挿入穴を穿設したカッター取付体を挿入穴が軸穴と直交するよう取付部を内側に向けて設け、一端に係止部を設けたワイヤーからなるカッターを挿入穴に挿入し係止部を取付部に挿設係止し着脱可能としたものである。
【実施例】
【０００８】　以下本考案の一実施例を図面について説明する。
　図中１は皿形状からなる取付体２外周にフランジ３を設けた回転体であって、取付体２の底部２ａの外側中央に取付座４を、又取付座４と同心となる軸穴５を穿設し、取付け体２の傾斜面に重量軽減用の長穴６を４箇所に穿設している。
　７は筒体８と一方を開口状とした傾斜体９とからなる補強フランジであって、傾斜体９先端とフランジ３先端が同寸法となるよう底部２ａと反対側のフランジ３の外側に傾斜体９を外に向けて設け、取付体２と傾斜体９内側に於いて軸穴５に向けて放射状となるようリブ１０を４箇所に設けて補強フランジ７補強している。【０００９】　１１は凹状とした取付部１１ａを設けた柱状からなるカッター取付体であって、取付部１１ａ底部中央に挿入穴１１ｂを穿設し、前記筒体８の４箇所に取付部１１ａを内方に向け挿入穴１１ｂが軸穴５と直交するよう設けている。
　１２はワイヤーからなるカッターであって、一端に係止部１３を設け、前記取付部１１ａに係止部１３を挿設係止し、該カッター１２を挿入穴１１ｂに通して外方に突設している。ている。【００１０】　使用に当たっては、草刈機の回転軸１４を取付座４側より軸穴５に挿入し、草刈機の固定座を取付座４に嵌合し、ナット１５にて図３の二点鎖線にて示す如く締め付けて回転軸１４に回転体１を取り付ける。
　そして回転軸１４を回転して外方に突設するカッター１２にて雑草や芝などを刈り取っていく。
　若し使用が激しくカッター１２が減った場合には、減ったカッター１２をカッター取付体１１より取り除き新しいカッター１２を装着して再使用する。
【図面の簡単な説明】
【００１０】
【図１】実施例の正面図
【図２】実施例の背面図
【図３】図１のＡ−Ａ断面図
【図４】実施例回転体外周部の部分断面図
【符号の説明】
【００１１】　１　　回転体
　５　　軸穴
１１ａ　取付部
１１ｂ　挿入穴
１２　　カッター
１３　　係止部
【図１】
0003100490.tif 000003
【図２】
0003100490.tif 000004
【図３】
0003100490.tif 000005
【図４】
0003100490.tif 000006
(57)【要約】　　　（修正有）【課題】ゴム紐を取り付けたボールにねじれ防止金具がないためにねじれがあって使いづらい。紐では伸縮しない。【解決手段】ボール１にねじれ防止金具４を取付けゴム紐３を付ける。【効果】ねじれ防止金具４によってゴム紐のもつれが無くなり、球技を楽しむことができる。【選択図】図１
0003100489.tif 000002
【実用新案登録請求の範囲】
【請求項１】
　ボールの中心部分にねじれ防止金具を取付けてゴム紐を結ぶ球技練習装置。
【考案の詳細な説明】
【技術分野】
【０００１】ボールにねじれ防止金具とゴム紐を取り付ける事でいろいろと遊びの幅が出来る。
【背景技術】多くのボールがいらなくて１コのボールで球技が出来る。
【考案の開示】
【０００２】球技の練習は広い場所がいる。
この場合はゴム紐つきだから狭い所で楽しく遊べる。
【考案が解決しようとする課題】
ボールにねじれ防止金具がないためにねじれがあって使いづらい。
紐では伸縮しない。
【課題を解決するための手段】
【０００３】ボールにねじれ防止金具を取付けゴムひもを付ける。
【考案の効果】
ボールを拾わなくてすむ。
ボールの中央に取付けたヨリ戻し金具でゴム紐のもつれ無く球技が楽しめる。
【考案を実地するための最良の形態】
指に輪っかを入れてボールを投げると打ったボールはねじれ金具を取付けゴム紐取付けた効果により弾んだボールが返ってくる
【産業上の利用可能性】ボール投げからトスバッティングで打撃開眼
【図面の簡単な説明】
【図１】らくちんボールの断面図である。
【図２】らくちんボールの平面図である。
【符号の説明】
１ゴムボール
２指通し
３ゴム紐
４ゴムのねじれ防止金具
５化粧版ゴム
【図１】
0003100489.tif 000003
【図２】
0003100489.tif 000004
(57)【要約】
【課題】　模型内部の構造と外部の美しさを同時に観賞する事が出来、面積に対して奥行きを小さく見栄えよくまた容易に固定が出来る構造の額装用自動車模型を提供する。
【解決手段】車体を左右に分割し内部用模型（１）の外側に内部用模型固定用足（２）を設け、他方の外部用模型（３）の内側に外部用模型固定用足（４）を設ける。額装ベース壁面（５）に内部用模型（１）と外部用模型（３）を並べて固定する。
　内部用模型（１）と外部用模型（３）の両方に固定用の足（２）と（４）が有り１対で構成する事を特徴とする。
【選択図】　図１
0003100488.tif 000002
【実用新案登録請求の範囲】
【請求項１】
　車体を左右に分割し内部用模型（１）の外側に内部用模型固定用足（２）を設け他方の外部用模型（３）の内側に外部用模型固定用足（４）を設ける。額装ベース壁面（５）に内部用模型（１）と外部用模型（３）の１対を並べて固定する。
　以上のごとく内部用模型（１）と外部用模型（３）の１対で構成する固定用の足（２）と（４）が有る額装用の自動車模型。
【考案の詳細な説明】
【考案の詳細な説明】
【技術分野】
【０００１】この考案は内部と外部を同時に観賞する事を主目的とする内部用模型と外部用模型の１対で構成する固定用の足が有る額装用自動車模型である。
【背景技術】
【０００２】　従来、模型の内部を見る為の透明車体の模型があった。また内部を見る為にカットする事は一般的だが内部用模型と外部用模型を並べての額装は今まで行われていなかった。
　額装する場合模型そのままでは固定し難く面積に対して奥行きが大きくなり見栄えが悪い。
【考案が解決しようとする課題】
【０００３】従来の方法では次のような問題があった。
　透明車体の模型で内部を見るために塗装をしないと、本来の模型の美しさを楽しめない。また額装する場合模型そのままでは固定し難く面積に対して奥行きが大きくなり見栄えが悪い。
　この考案は模型の内部と外部の美しさを対比して同時に観賞する事を主目的にし、額装する場合容易に模型を固定出来る様にした物である。
【課題を解決するための手段】
【０００４】　車体を左右に分割し内部用模型（１）の外側に内部用模型固定用足（２）を設け、他方の外部用模型（３）の内側に外部用模型固定用足（４）を設ける。額装ベース壁面（５）に内部用模型（１）と外部用模型（３）の１対を並べて固定する。
　この考案は、内部用模型と外部用模型の１対で構成する固定用の足が有る額装用の自動車模型である。
【考案を実施するための最良の形態】
【０００５】　車体を左右に分割し内部用模型（１）の外側に内部用模型固定用足（２）を設け、他方の外部用模型（３）の内側に外部用模型固定用足（４）を設ける。額装ベース壁面（５）に内部用模型（１）と外部用模型（３）の１対を並べて固定する。
　以上の構成であるから、模型の内部と外部を同時に観賞出来る。さらに固定用足により額装ベース壁面に容易に模型を固定出来る
【考案の効果】
【０００６】　したがって、模型内部の構造と外部の美しさを同一面で並べてお互いに対比して観賞出来る為便利である。また車体の幅を半分にした為面積に対して奥行きを小さく額装する事が出来て見栄えが良く、固定用足により容易に模型を固定出来る。
【図面の簡単な説明】
【図１】　　本考案の正面図である。
【図２】　　本考案の側面図である。
【符号の説明】
　１　内部用模型　　　２　内部用模型固定用足　　　３　外部用模型
　４　外部用模型固定用足　　　５　額装ベース壁面
【図１】
0003100488.tif 000003
【図２】
0003100488.tif 000004
(57)【要約】　　　（修正有）【課題】グラス、コップ等をのせるコースターを水分が溜まらず汚さないコースターを提供する。【解決手段】グラス、コップ等をのせるコースターをタオル地にすることで解決する。【選択図】図１
0003100437.tif 000002
【実用新案登録請求の範囲】
【請求項１】
コースターをタオル地素材加工したことを特徴としたタオル地のコースター。
【考案の詳細な説明】
【考案の詳細な説明】
【技術分野】
【０００１】本考案はグラス、コップをのせるコースターに関する。
【背景技術】
【０００２】従来にグラス、コップをのせるコースターは、素材に木、金属、合成樹脂のものは知られている。
【考案が解決しようとする課題】
【０００３】しかしながら、グラス、コップから染みて流れる水分が、素材が木、金属、合成樹脂のコースターでは水分が溜まり、テーブル等を汚す欠点がある。
【課題を解決するための手段】
【０００４】本考案はグラス、コップをのせるコースターをタオル地素材のコースターにすることで、水分がタオル地に染み込み、上記課題を解決するものである。
【考案を実施するための最良の形態】
【０００５】図１に示すように、グラス、コップをのせるコースターをタオル地にする。形態は色々な形でよい。色合も色々あってもよい。【０００６】上記工程による、タオル地のコースターでは水分を吸い取ることと、汚れた所を拭き取りも出来る。
【考案の効果】
【０００７】１　　水分等の汚れを吸い取ることが出来る
２　　汚れた所を拭き取りも出来る。
３　　グラス、コップ等ガラス容器に保護的である。
【図面の簡単な説明】
【図１】　本考案に係るタオル地コースターの工程図である。
【符号の説明】
１　　タオル地のコースター
【図１】
0003100437.tif 000003